【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  データを記憶するための第１のデータ記憶手段を備えた携帯情報端末装置であって、
上記第１のデータ記憶手段の空き容量を監視する監視手段と、
第２のデータ記憶手段を備える外部機器と本携帯情報端末装置との間でデータ通信を行うためのデータ通信手段と、
上記監視手段により上記第１のデータ記憶手段の空き容量が所定値以下になったことを検出したとき、上記データ通信手段により上記外部機器の第２のデータ記憶手段に上記第１のデータ記憶手段に記憶されたデータを転送するデータ転送制御手段とを備え、
上記データ転送制御手段は、上記監視手段により第１のデータ記憶手段の空き容量が所定値以上になったことを検出したとき、上記データ通信手段により、上記第１のデータ記憶手段に記憶されているデータに関連するデータを上記外部機器の第２のデータ記憶手段から取得することを特徴とする携帯情報端末装置。
【請求項２】  請求項１記載の携帯情報端末装置において、
上記データ転送制御手段は、
上記転送済みのデータを参照する要求が生じた際には、上記データ通信が可能な状態を確立して、上記外部機器の第２のデータ記憶手段から上記転送済みデータを取得して、表示手段に供給するよう構成されていることを特徴とする携帯情報端末装置。
【請求項３】  データを入力するための入力手段と、
入力されたデータを表示するための表示手段と、
入力したデータを記憶するための第１のデータ記憶手段と、
上記第１のデータ記憶手段に記憶されているデータの更新度合いを監視する監視手段と、
外部機器と本携帯情報端末装置との間でデータ通信を行うためのデータ通信手段と、
上記監視手段により第１のデータ記憶手段に記憶されているデータの更新度合いが所定値以上になったことを検出したとき、上記データ通信手段と上記外部機器のデータ通信手段との間でデータ通信が可能な状態を確立して、該外部機器の第２のデータ記憶手段に上記第１のデータ記憶手段に記憶されたデータを転送するデータ転送制御手段とを備えたことを特徴とする携帯情報端末装置。
【請求項４】  請求項１または３に記載の携帯情報端末装置において、
該転送済みのデータについて、当該データを、当該データが転送済みであることを示す情報と置換して、上記第１のデータ記憶手段に記憶させることを特徴とする携帯情報端末装置。
【請求項５】  請求項１または３に記載の携帯情報端末装置において、
上記データ通信手段は、通信形態あるいは通信回線の異なる複数のデータ通信部を有し、
上記複数のデータ通信部のうちの実際に外部機器のデータ通信装置と通信可能な状態のデータ通信部を自動的に選択するデータ通信経路選択手段を備えたものであることを特徴とする携帯情報端末装置。
【請求項６】  請求項５記載の携帯情報端末装置において、
上記複数のデータ通信手段の1 つは携帯型電話であることを特徴とする携帯情報端末装置。
【請求項７】  請求項１または３記載の携帯情報端末装置において、
上記転送済みとなったデータと、未転送のデータとは、異なった様態で表示されることを特徴とする携帯情報端末装置。
【請求項８】  請求項１記載の携帯情報端末装置において、
データの作成日を管理するデータ作成日管理手段を備え、
上記データ転送制御手段は、データ転送を、上記データ作成日管理手段によって管理されているデータ作成日が古いデータから優先的に行うものであることを特徴とする携帯情報端末装置。
【請求項９】  請求項１記載の携帯情報端末装置において、
上記第１のデータ記憶手段に記憶されるデータの作成日時を管理するデータ作成日管理手段を備え、
上記データ転送制御手段は、データ転送を、上記データ作成日管理手段によって管理されているデータ作成日が、所定の期間よりも古いデータが一括して転送されるよう行うものであることを特徴とする携帯情報端末装置。
【請求項１０】  請求項１記載の携帯情報端末装置において、
上記第１のデータ記憶手段に記憶されたデータの参照日時を管理するデータ参照日時管理手段を備え、
上記データ転送制御手段は、データ転送を、上記データ参照日時管理手段によって管理されているデータ参照日時が古いデータから優先的に行うものであることを特徴とする携帯情報端末装置。
【請求項１１】  請求項１記載の携帯情報端末装置において、
上記第１のデータ記憶手段に記憶されたデータの最終参照日時を管理するデータ最終参照日時管理手段を備え、
上記データ転送制御手段は、データ転送を、上記データ最終参照日時管理手段によって管理されているデータ最終参照日時が、所定の期間よりも古いデータが一括して転送されるよう行うものであることを特徴とする携帯情報端末装置。
【請求項１２】  請求項１記載の携帯情報端末装置において、
上記第１のデータ記憶手段に記憶されたデータの参照回数を管理するデータ参照回数管理手段を備え、
上記データ転送制御手段は、データ転送を、上記データ参照回数管理手段によって管理されているデータ参照回数が少ないデータから優先的に行うものであることを特徴とする携帯情報端末装置。
【請求項１３】  請求項１記載の携帯情報端末装置において、
上記第１のデータ記憶手段に記憶されたデータの参照回数を管理するデータ参照回数管理手段を備え、
上記データ転送制御手段は、データ転送を、上記データ参照回数管理手段によって管理されているデータ参照回数が所定値よりも少ないデータが一括して転送されるよう行うものであることを特徴とする携帯情報端末装置。
【請求項１４】  請求項１記載の携帯情報端末装置において、
データの重要度を入力する重要度入力手段と、
データの重要度を管理するデータ重要度管理手段とを備え、
上記データ転送制御手段はデータ転送を、上記データ重要度管理手段によって管理されているデータの重要度の低いデータから優先的に行うものであることを特徴とする携帯情報端末装置。
【請求項１５】  請求項１記載の携帯情報端末装置において、
データの重要度を入力する重要度入力手段と、
データの重要度を管理するデータ重要度管理手段とを備え、
上記データ転送制御手段はデータ転送を、上記データ重要度管理手段によって管理されているデータの重要度が所定の重要度よりも低いデータから優先的に転送されるよう行うものであることを特徴とする携帯情報端末装置。
【請求項１６】  携帯情報端末装置の有する記憶手段の空き容量を監視し、該空き容量が所定値以下になったことを検出したときに、本携帯情報端末装置と外部機器との間で通信可能な状態を確立して、上記記憶手段に記憶されたデータを、上記外部機器のデータ保存装置に転送して保存し、
上記転送済みのデータを参照する要求が生じた際に、本携帯情報端末装置と外部機器との間で通信可能な状態を確立して外部機器のデータ保存装置から上記転送済みデータを取得することを特徴とするデータ管理方式。
【請求項１７】  請求項１６記載のデータ管理方式において、
上記転送済みのデータを、当該データが転送済みであることを示す情報を示すデータと置換して、上記データ記憶手段に記憶させることを特徴とするデータ管理方式。
【請求項１８】  請求項１６記載のデータ管理方式において、
上記データ通信を行う際、本携帯情報端末装置との間の、通信形態あるいは通信チャンネルの異なる複数の通信経路の中から通信可能な状態の経路が自動的に選択されて、本携帯情報端末装置との間でデータ通信が可能な状態が確立されることを特徴とするデータ管理方式。
【請求項１９】  請求項１７記載のデータ管理方式において、
上記転送済みのデータと、未転送のデータとが異なった様態で表示されるように、データ転送済みであることを示す識別用の情報を設けることを特徴とするデータ管理方式。
【手続補正２】
【補正対象書類名】明細書
【補正対象項目名】００１２
【補正方法】変更
【補正の内容】
【００１２】
【課題を解決するための手段】
本発明の請求項１にかかる携帯情報端末装置は、データを記憶するための第１のデータ記憶手段を備えた携帯情報端末装置であって、上記第１のデータ記憶手段の空き容量を監視する監視手段と、第２のデータ記憶手段を備える外部機器と本携帯情報端末装置との間でデータ通信を行うためのデータ通信手段と、上記監視手段により上記第１のデータ記憶手段の空き容量が所定値以下になったことを検出したとき、上記データ通信手段により上記外部機器の第２のデータ記憶手段に上記第１のデータ記憶手段に記憶されたデータを転送するデータ転送制御手段とを備え、上記データ転送制御手段は、上記監視手段により第１のデータ記憶手段の空き容量が所定値以上になったことを検出したとき、上記データ通信手段により、上記第１のデータ記憶手段に記憶されているデータに関連するデータを上記外部機器の第２のデータ記憶手段から取得するようにしたものである。
【手続補正３】
【補正対象書類名】明細書
【補正対象項目名】００１３
【補正方法】変更
【補正の内容】
【００１３】
また、本発明の請求項２にかかる携帯情報端末装置は、請求項１記載の携帯情報端末装置において、上記データ転送制御手段は、上記転送済みのデータを参照する要求が生じた際には、上記データ通信が可能な状態を確立して、上記外部機器の第２のデータ記憶手段から上記転送済みデータを取得して、表示手段に供給するよう構成したものである。
【手続補正４】
【補正対象書類名】明細書
【補正対象項目名】００１４
【補正方法】変更
【補正の内容】
【００１４】
また、本発明の請求項３にかかる携帯情報端末装置は、データを入力するための入力手段と、入力されたデータを表示するための表示手段と、入力したデータを記憶するための第１のデータ記憶手段と、上記第１のデータ記憶手段に記憶されているデータの更新度合いを監視する監視手段と、外部機器と本携帯情報端末装置との間でデータ通信を行うためのデータ通信手段と、上記監視手段により第１のデータ記憶手段に記憶されているデータの更新度合いが所定値以上になったことを検出したとき、上記データ通信手段と上記外部機器のデータ通信手段との間でデータ通信が可能な状態を確立して、該外部機器の第２のデータ記憶手段に上記第１のデータ記憶手段に記憶されたデータを転送するデータ転送制御手段とを備えたものである。
【手続補正５】
【補正対象書類名】明細書
【補正対象項目名】００１５
【補正方法】変更
【補正の内容】
【００１５】
また、本発明の請求項４にかかる携帯情報端末装置は、上記請求項１または３に記載の携帯情報端末装置において、該転送済みのデータについて、当該データを、当該データが転送済みであることを示す情報と置換して、上記第１のデータ記憶手段に記憶させるようにしたものである。
【手続補正６】
【補正対象書類名】明細書
【補正対象項目名】００１８
【補正方法】変更
【補正の内容】
【００１８】
また、本発明の請求項７にかかる携帯情報端末装置は、上記請求項１または３記載の携帯情報端末装置において、上記転送済みとなったデータと、未転送のデータとは、異なった様態で表示されるようにしたものである。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
また、本発明の請求項８にかかる携帯情報端末装置は、上記請求項１記載の携帯情報端末装置において、データの作成日を管理するデータ作成日管理手段を備え、上記データ転送制御手段は、データ転送を、上記データ作成日管理手段によって管理されているデータ作成日が古いデータから優先的に行うようにしたものである。
【手続補正９】
【補正対象書類名】明細書
【補正対象項目名】００２１
【補正方法】変更
【補正の内容】
【００２１】
また、本発明の請求項９にかかる携帯情報端末装置は、請求項１記載の携帯情報端末装置において、上記第１のデータ記憶手段に記憶されるデータの作成日時を管理するデータ作成日管理手段を備え、上記データ転送制御手段は、データ転送を、上記データ作成日管理手段によって管理されているデータ作成日が、所定の期間よりも古いデータが一括して転送されるよう行うものである。
【手続補正１０】
【補正対象書類名】明細書
【補正対象項目名】００２２
【補正方法】変更
【補正の内容】
【００２２】
また、本発明の請求項１０にかかる携帯情報端末装置は、請求項１記載の携帯情報端末装置において、上記第１のデータ記憶手段に記憶されたデータの参照日時を管理するデータ参照日時管理手段を備え、上記データ転送制御手段は、データ転送を、上記データ参照日時管理手段によって管理されているデータ参照日時が古いデータから優先的に行うようにしたものである。
【手続補正１１】
【補正対象書類名】明細書
【補正対象項目名】００２３
【補正方法】変更
【補正の内容】
【００２３】
また、本発明の請求項１１にかかる携帯情報端末装置は、請求項１記載の携帯情報端末装置において、上記第１のデータ記憶手段に記憶されたデータの最終参照日時を管理するデータ最終参照日時管理手段を備え、上記データ転送制御手段は、データ転送を、上記データ最終参照日時管理手段によって管理されているデータ最終参照日時が、所定の期間よりも古いデータが一括して転送されるよう行うものである。
【手続補正１２】
【補正対象書類名】明細書
【補正対象項目名】００２４
【補正方法】変更
【補正の内容】
【００２４】
また、本発明の請求項１２にかかる携帯情報端末装置は、請求項１記載の携帯情報端末装置において、上記第１のデータ記憶手段に記憶されたデータの参照回数を管理するデータ参照回数管理手段を備え、上記データ転送制御手段は、データ転送を、上記データ参照回数管理手段によって管理されているデータ参照回数が少ないデータから優先的に行うようにしたものである。
【手続補正１３】
【補正対象書類名】明細書
【補正対象項目名】００２５
【補正方法】変更
【補正の内容】
【００２５】
また、本発明の請求項１３にかかる携帯情報端末装置は、請求項１記載の携帯情報端末装置において、上記第１のデータ記憶手段に記憶されたデータの参照回数を管理するデータ参照回数管理手段を備え、上記データ転送制御手段は、データ転送を、上記データ参照回数管理手段によって管理されているデータ参照回数が所定値よりも少ないデータが一括して転送されるよう行うものである。
【手続補正１４】
【補正対象書類名】明細書
【補正対象項目名】００２６
【補正方法】変更
【補正の内容】
【００２６】
また、本発明の請求項１４にかかる携帯情報端末装置は、上記請求項１記載の携帯情報端末装置において、データの重要度を入力する重要度入力手段と、データの重要度を管理するデータ重要度管理手段とを備え、上記データ転送制御手段はデータ転送を、上記データ重要度管理手段によって管理されているデータの重要度の低いデータから優先的に行うようにしたものである。
【手続補正１５】
【補正対象書類名】明細書
【補正対象項目名】００２７
【補正方法】変更
【補正の内容】
【００２７】
また、本発明の請求項１５にかかる携帯情報端末装置は、上記請求項１記載の携帯情報端末装置において、データの重要度を入力する重要度入力手段と、データの重要度を管理するデータ重要度管理手段とを備え、上記データ転送制御手段はデータ転送を、上記データ重要度管理手段によって管理されているデータの重要度が所定の重要度よりも低いデータから優先的に転送されるようにしたものである。
【手続補正１６】
【補正対象書類名】明細書
【補正対象項目名】００２８
【補正方法】変更
【補正の内容】
【００２８】
また、本発明の請求項１６にかかるデータ管理方式は、携帯情報端末装置の有する記憶手段の空き容量を監視し、該空き容量が所定値以下になったことを検出したときに、本携帯情報端末装置と外部機器との間で通信可能な状態を確立して、上記記憶手段に記憶されたデータを、上記外部機器のデータ保存装置に転送して保存し、上記転送済みのデータを参照する要求が生じた際に、本携帯情報端末装置と外部機器との間で通信可能な状態を確立して外部機器のデータ保存装置から上記転送済みデータを取得するようにしたものである。
【手続補正１７】
【補正対象書類名】明細書
【補正対象項目名】００２９
【補正方法】変更
【補正の内容】
【００２９】
また、本発明の請求項１７にかかるデータ管理方式は、上記請求項１６記載のデータ管理方式において、上記転送済みのデータを、当該データが転送済みであることを示す情報を示すデータと置換して、上記データ記憶手段に記憶させるようにしたものである。
【手続補正１８】
【補正対象書類名】明細書
【補正対象項目名】００３０
【補正方法】変更
【補正の内容】
【００３０】
また、本発明の請求項１８にかかるデータ管理方式は、上記請求項１６記載のデータ管理方式において、上記データ通信を行う際、本携帯情報端末装置との間の、通信形態あるいは通信チャンネルの異なる複数の通信経路の中から通信可能な状態の経路が自動的に選択されて、本携帯情報端末装置との間でデータ通信が可能な状態が確立されるようにしたものである。
【手続補正１９】
【補正対象書類名】明細書
【補正対象項目名】００３１
【補正方法】変更
【補正の内容】
【００３１】
また、本発明の請求項１９にかかるデータ管理方式は、上記請求項１７記載のデータ管理方式において、上記転送済みのデータと、未転送のデータとが異なった様態で表示されるように、データ転送済みであることを示す識別用の情報を設けるしたものである。
【手続補正２０】
【補正対象書類名】明細書
【補正対象項目名】００３８
【補正方法】変更
【補正の内容】
【００３８】
次いで、通信制御部９は、図３に示すように、データ量監視部７から転送の指示があったとき（ステップ２０１）、赤外線通信部８に赤外線を用いたデータ転送が可能かどうか問い合わせ（ステップ２０２）、赤外線通信が可能な場合は赤外線通信部８に対してデータの転送を指示する（ステップ２０３）。一方、ステップ２０２において赤外線通信ができない状態であるとき、通信制御部９はＰＨＳ通信部１０に対してＰＨＳ通信が可能か否かを問い合わせ（ステップ２０４）、ＰＨＳ通信が可能なら、ＰＨＳ通信部１０に対してデータ転送を指示する（ステップ２０５）。
【手続補正２１】
【補正対象書類名】明細書
【補正対象項目名】００５３
【補正方法】変更
【補正の内容】
【００５３】
図５(a) ，(b) はそれぞれ、液晶表示部２に表示される、転送前データ５０１と転送後データ５０２の一例を示す。なお、この例ではアドレス帳アプリケーションのデータを例として挙げたが、転送対象となるデータはアドレス帳アプリケーションに限定されるものではなく、スケジュールデータや、ＴＯＤＯ（未処理事項）データであってもよい。さらに、小遣い帳のようなデータでもかまわない。
【手続補正２２】
【補正対象書類名】明細書
【補正対象項目名】００５８
【補正方法】変更
【補正の内容】
【００５８】
実施の形態３
次に本発明の実施の形態３による携帯情報端末装置、及びデータ管理方式について説明する。本実施の形態３は、上記実施の形態２にて転送済みとなったデータを表示する際の表示状態に特徴を有する。すなわち、図７において、アドレス帳表示画面７００の左側には５０音分類タグボタン７０４が配置されており、このボタンに相当する液晶表示装置２の領域をペン１でタッピングすることにより、５０音で分類されたアドレス帳のデータが表示される。また、アドレス帳表示画面７００の下側にはデータ編集操作ボタン群７０５があり、アドレス帳データの新規作成，修正，複製，削除が行えるようになっている。さらに画面中央には、データの表示領域があり、アドレス帳に登録されている人の名前表示領域７０２や電話番号表示領域７０３がある。
【手続補正２３】
【補正対象書類名】明細書
【補正対象項目名】００６２
【補正方法】変更
【補正の内容】
【００６２】
実施の形態４
次に本発明の実施の形態４による携帯情報端末装置、及びデータ管理方式について説明する。本実施の形態４は、上記実施の形態２にて転送済みとなったデータを表示する際のデータの受信方法に特徴を有する。すなわち、実施の形態２において、一旦、データをデータ転送先１７に転送した後に、携帯情報端末装置１６側の記憶部６の空き容量が、ユーザのデータ削除や変更等の処理によって所定値以上増大した場合に、先に転送したデータのうちの一部を再度、携帯情報端末装置１６側の記憶部６に取り込む処理を自動的に行うものである。
【手続補正２４】
【補正対象書類名】明細書
【補正対象項目名】００６３
【補正方法】変更
【補正の内容】
【００６３】
以下、図８のフローチャートを参照しつつ動作について説明する。
データ量監視部７はステップ８０１において、記憶部６に対してデータの登録や、変更，削除によって記憶量の増減が生じることを検出し、記憶部６の空き容量が予め定められた量を上回ると（ステップ８０２）、通信制御部９に対してデータの転送を指示する（ステップ８０３）。
【手続補正２５】
【補正対象書類名】明細書
【補正対象項目名】００６５
【補正方法】変更
【補正の内容】
【００６５】
なお、上記予め定められた量は、システム的に決められたものでもよいが、使用者が任意に設定できるようになっていてもよい。また、予め定められた量は、記憶部６の残り容量が、例えば、１０Ｋバイト以上になった場合に、データ量監視部７が通信制御部９に転送を指示するというような絶対的な値の指定の方法をとる方法や、記憶部６の残り容量が全体の記憶容量の１０％以上になった場合にデータ量監視部７が通信制御部９に対して転送を指示するといった、相対的な指定方法を選択することが考えられる。